(57)【要約】【課題】洗濯機を用いて靴の洗浄、すすぎ、および脱水を自動で行うことを可能とする靴の洗浄補助具を提供する。【解決手段】洗濯機の洗濯槽内に靴を保持するための靴の洗浄補助具１であって、長手方向に伸縮する支持部材１０と、支持部材１０の圧縮方向の変位に対向して伸張方向の反力を発するスプリング１８と、支持部材１０の一端に設けられ、該支持部材１０に垂直な方向に延在してなる第１靴保持部２０と、支持部材１０の他端に設けられ、該支持部材１０に垂直な方向に延在してなる第２靴保持部３０と、を備える。第１靴保持部２０は、中空の円筒形状を有し、第２靴保持部３０は、支持部材１０と接続された側の面が凸側となる中空の半円筒形状を有している。好ましくは、第１靴保持部２０には、複数の貫通孔が設けられている。【選択図】図１
2011030744.tif 000002
【特許請求の範囲】
【請求項１】
洗濯機の洗濯槽内に靴を保持するための靴の洗浄補助具であって、
長手方向に伸縮する支持部材と、
前記支持部材の圧縮方向の変位に対向して伸張方向の反力を発する弾性部材と、
前記支持部材の一端に設けられ、該支持部材に垂直な方向に延在してなる第１靴保持部と、
前記支持部材の他端に設けられ、該支持部材に垂直な方向に延在してなる第２靴保持部と、を備え、
前記第１靴保持部は、中空の略円筒形状を有し、
前記第２靴保持部は、前記支持部材と接続された側の面が凸側となる中空の略半円筒形状を有していることを特徴とする靴の洗浄補助具。
【請求項２】
前記第１靴保持部は、複数の貫通孔を有することを特徴とする請求項１記載の靴の洗浄補助具。
【請求項３】
前記支持部材の長手方向の全長を可変させるための調整機構を更に備えることを特徴とする請求項１または２記載の靴の洗浄補助具。
【発明の詳細な説明】
【技術分野】
【０００１】
この発明は、靴の洗浄補助具に係り、特に、洗濯機を用いて靴を洗浄する際に好適な靴の洗浄補助具に関する。
【背景技術】
【０００２】
従来、例えば、特開２００４−１４８０３９号公報には、綿布製のシューズを洗浄するための洗浄器が開示されている。より具体的には、このシューズ洗浄器では、小径の洗浄ボールがボックス内に多数投入されている。シューズを洗浄する際には、該ボックス内に洗剤および水を入れてシューズを収納する。そして、該洗浄器を手動で振り動かし、或いは洗濯機に投入して転動、揺動させることでシューズを自動的に洗浄することとしている。
【先行技術文献】
【特許文献】
【０００３】
【特許文献１】特開２００４−１４８０３９号公報
【特許文献２】特開２００３−３２６０８８号公報
【発明の概要】
【発明が解決しようとする課題】
【０００４】
しかしながら、上述した従来の洗浄器では、靴のすすぎを行う場合にボックス内の水を繰り返し入れ替えて揺動させる必要がある。このため、上記従来の洗浄器では、靴を洗浄するための労力が軽減されるとはいい難く、改善が望まれていた。
【０００５】
この発明は、上述のような課題を解決するためになされたもので、洗濯機を用いて靴の洗浄、すすぎ、および脱水を自動で行うことを可能とする靴の洗浄補助具を提供することを目的とする。
【課題を解決するための手段】
【０００６】
第１の発明は、上記の目的を達成するため、洗濯機の洗濯槽内に靴を保持するための靴の洗浄補助具であって、
長手方向に伸縮する支持部材と、
前記支持部材の圧縮方向の変位に対向して伸張方向の反力を発する弾性部材と、
前記支持部材の一端かに設けられ、該支持部材に垂直な方向に延在してなる第１靴保持部と、
前記支持部材の他端に設けられ、該支持部材に垂直な方向に延在してなる第２靴保持部と、を備え、
前記第１靴保持部は、中空の略円筒形状を有し、
前記第２靴保持部は、前記支持部材と接続された側の面が凸側となる中空の略半円筒形状を有していることを特徴とする。
【０００７】
第２の発明は、第１の発明において、
前記第１靴保持部は、複数の貫通孔を有することを特徴とする。
【０００８】
第３の発明は、第１または第２の発明において、
前記支持部材の長手方向の全長を可変させるための調整機構を更に備えることを特徴とする。
【発明の効果】
【０００９】
洗浄対象の靴は、その内底を第１の靴保持部と第２の靴保持部とにそれぞれ押圧されて洗濯機の洗濯槽の内側に固定される。第１の発明によれば、第１靴保持部は、中空の略円筒形状を有し、第２靴保持部は、中空の略半円筒形状を有している。このような形状によれば、洗濯槽が回転して靴に大きな遠心力が作用しても、靴が補助具から外れることが抑制される。このため、本発明によれば、洗濯機を用いて、靴の洗浄、すすぎ、および脱水を自動で行うことができる。
【００１０】
第２の発明によれば、第１靴保持部には、複数の貫通孔が設けられている。このため、本発明によれば、靴の内部への水の流通性を高めることができるので、靴の洗浄、すすぎ効果を効果的に高めることができる。
【００１１】
第３の発明によれば、洗浄補助具は、支持部材の長手方向の全長を可変させる調整機構を有している。このため、本発明によれば、靴の底の厚みや洗濯槽の内径等が異なる場合であっても、所望の押圧で靴を保持することができる。
【図面の簡単な説明】
【００１２】
【図１】本実施の形態における靴の洗浄補助具の構成を模式的に示す図である。
【図２】本実施の形態における靴の洗浄補助具の内部構造を模式的に示す図である。
【図３】本実施の形態における靴の洗浄補助具を用いて、洗濯槽の内部に靴を固定した状態を示す図である。
【発明を実施するための形態】
【００１３】
以下、図面に基づいてこの発明の実施の形態について説明する。尚、各図において共通する要素には、同一の符号を付して重複する説明を省略する。また、以下の実施の形態によりこの発明が限定されるものではない。
【００１４】
実施の形態．
［実施の形態の構成］
図１は、本実施の形態における靴の洗浄補助具の構成を模式的に示す図である。尚、この図において、図１（Ａ）は、該補助具を正面からみた図を、図１（Ｂ）は、該補助具を図１（Ａ）におけるＢ方向からみた図を、それぞれ示している。
【００１５】
図１に示すとおり、本実施の形態の靴の洗浄補助具１（以下、単に「補助具１」と称する）は、主として塩化ビニル素材で構成された支持部材１０、第１靴保持部２０、および第２靴保持部３０によって構成されている。支持部材１０は、伸縮可能な筒状の部材で構成され、後述する内部のスプリングの作用によって、圧縮方向の変位に対して伸張方向の反力を生じる仕組みになっている。支持部材１０の両端には、雄ネジ加工された接続部１２が形成されている。尚、支持部材１０の内部構造については、その詳細な説明を後述する。
【００１６】
第１靴保持部２０は、中空の円筒形状の円筒部２０１と、該円筒部２０１からＴ字状に突出する中空の円筒形状の接続部２０２とを有している。接続部２０２の内側は、雌ネジ加工がなされている。第１靴保持部２０は、当該接続部２０２を上述した支持部材１０の接続部１２の一方にねじ込むことで支持部材１０に接続される。また、図１に示すとおり、円筒部２０１には、複数の貫通孔２２（図中では５つ）が設けられている。
【００１７】
第２靴保持部３０は、中空の半円筒形状の半円筒部３０１と、該半円筒部３０１の凸側からＴ字状に突出する中空の円筒形状の接続部３０２と、を有している。接続部３０２の内側は、上述した接続部２０２と同様に雌ネジ加工がなされている。第２靴保持部３０は、当該接続部３０２を上述した支持部材１０の接続部１２の一方にねじ込むことで、支持部材１０に接続される。また、図１に示すとおり、半円筒部３０１の延在方向のエッジには、滑り止めの機能を果たすゴム製のカバー３２がそれぞれ装着されている。
【００１８】
次に、図２を参照して、支持部材１０の内部構造について詳細に説明する。図２は、補助具１の内部構造を説明するための図である。尚、図２では、説明の都合上、補助具１の部品を一部透過して示している。図２に示すとおり、支持部材１０は、中空円筒の筒部１４を備えている。尚、図２では、筒部１４は径の異なる２種の円筒を接続した形状を有しているが、単一の円筒で構成されていてもよい。筒部１４の一端には、該筒部１４よりも径の小さい円筒部材１６が固定されている。また、筒部１４における当該円筒部材１６が固定された側の端部には、上述した接続部１２が接続されている。
【００１９】
筒部１４の内部には、スプリング１８が挿入されている。スプリング１８は、筒部１４の内径よりも小さく、且つ、円筒部材１６の内径よりも大きな径を有している。このため、スプリング１８の一端は、該円筒部材１６の端部に支持される。また、ロッド部１９は、筒部１４の内径よりも径の小さい円筒状の部材で構成され、その端部には上述した接続部１２が接続されている。ロッド部１９は筒部１４の他端に挿入され、スプリング１８を圧縮する。これにより、支持部材１０は収縮して伸張方向の反力が発生する仕組みになっている。
【００２０】
［本実施の形態の特徴］
次に、本実施の形態の補助具１の特徴について説明する。本実施の形態の補助具１は、洗濯機の洗濯槽内部に靴を固定するための治具であって、これにより、洗濯機の洗浄、すすぎ、および脱水機能を利用した靴の洗浄を可能にするものである。靴を洗浄する際は、先ず、靴の裏底の砂や土類を水またはお湯で洗い流す。また、この段階で、靴に抗菌剤等を塗付することとしてもよい。
【００２１】
次に、補助具１を用いて靴を洗濯槽に固定する。図３は、洗濯槽の内部に靴を固定した状態を示す図である。この図に示すとおり、靴は、補助具１の両端に設けられた第１靴保持部２０および第２靴保持部３０と洗濯槽とに挟まれて固定される。より具体的には、靴は補助具１の支持部材１０に生じる伸張方向の反力による押圧を利用して固定される。
【００２２】
次に、洗濯機を駆動させて、洗浄、すすぎ、および脱水を行う。尚、乾燥機能を有する洗濯機であれば、乾燥まで行うこととしてもよい。以上の工程により、靴の洗浄が自動で完了する。
【００２３】
ここで、洗濯機の駆動時には、固定している靴に振動が伝わる。特に、脱水時には、固定している靴に大きな遠心力が作用する。このため、上述した洗濯機を用いた靴の洗浄を行うためには、補助具１による靴の固定が上述した洗浄工程で外れないことが要求される。そこで、本願の発明者は、種々の形状の補助具を試作して実験を行い、当該要求を満たす補助具の形状を考案した。
【００２４】
本実施の形態の補助具１は、円筒部２０１を有する第１靴保持部２０と半円筒部３０１を有する第２靴保持部を有している。このような形状によれば、一方の靴は円筒部２０１の側面で押圧され、他方の靴は半円筒部３０１のエッジ部で押圧される。この固定形態は、本願の発明者の実験において、高い固定能力を持つことが確認された。
【００２５】
また、第１靴保持部２０における円筒部２０１、および第２靴保持部３０の半円筒部３０１の形状は、洗浄およびすすぎの際の利点も有している。すなわち、円筒部２０１は中空円筒、半円筒部３０１は中空の半円筒であるため、洗浄或いはすすぎの際に水が靴の奥まで入り込みやすい。また、本実施の形態の補助具１では、円筒部２０１に複数の貫通孔２２が形成されているので、円筒の内外の水の流通も良好に行うことができる。
【００２６】
さらに、第１靴保持部２０における円筒部２０１、および第２靴保持部３０の半円筒部３０１の形状は、靴を固定する作業が容易となる利点を有している。すなわち、半円筒部３０１は、２本のエッジで靴と接触している。このため、第２靴保持部３０に装着した靴の裏底を押して支持部材１０を圧縮させる場合に力が入りやすい。
【００２７】
また、第１靴保持部２０及び第２靴保持部３０は、支持部材１０の接続部１２にねじ込まれて固定されている。このため、かかるねじ込み量を可変させることで、補助具１の全長を調整することができる。これにより、洗濯槽の内径や靴底の厚さ等が異なる場合であっても、所望の押圧を発生させて靴を確実に固定することができる。
【００２８】
また、本実施の形態の補助具１は、主として塩化ビニルの円筒管で構成されている。このため、該補助具１は、丈夫で軽く、且つ耐水性に優れる利点を有している。また、本実施の形態の補助具１は、簡易に分解することができるので、メンテナンス性に優れている。
【００２９】
このように、本実施の形態の補助具１によれば、洗浄対象の靴を洗濯槽の内部に簡易に、且つ確実に固定することができる。このため、係る状態で洗浄、すすぎ、脱水を行うことにより、自動で靴を洗浄することが可能となる。
【００３０】
ところで、本実施の形態の補助具１は、主として塩化ビニルの円筒管で構成されているが、使用可能な材質はこれに限られない。すなわち、強度、重量、および耐水性を考慮して、他の適した材質を選択することとしてもよい。
【００３１】
また、本実施の形態の第１靴保持部２０は、円筒形状の円筒部２０１を備えているが、当該円筒部２０１の形状は真円の円筒に限られない。すなわち、装着した靴と接触する部分が円弧類似の形状をしているのであれば、楕円であっても、多少歪んだ円であってもよい。また、貫通孔２２に関しても、水の流通を促進する機能を果たすのであれば、その個数、孔径、位置等は特に限定しない。
【００３２】
また、本実施の形態の第２靴保持部３０は、半円筒形状の半円筒部３０１を備えているが、当該半円筒部３０１の形状はこれに限られない。すなわち、半円筒と類似形状であるＵ字形状やコの字であっても、同様の効果を奏することができる。
【００３３】
また、本実施の形態の第１靴保持部２０および第２靴保持部３０は、支持部材１０にＴ字状に接続されているが、Ｌ字状になるように形成されていてもよい。また、第１靴保持部２０および第２靴保持部３０の大きさに関しても、洗浄対象の靴の大きさ等に応じて、種々選択することとしてもよい。
【００３４】
また、本実施の形態の支持部材１０は、内部にスプリング１８を備えているが、他の弾性部材を用いることとしてもよい。
【００３５】
尚、上述した実施の形態においては、スプリング１８が前記第１の発明における「弾性部材」に、接続部１２にねじ込まれた接続部２０２，３０２が前記第３の発明における「調整機構」に、それぞれ相当している。
【符号の説明】
【００３６】
１  靴の洗浄補助具（補助具）
１０  支持部材
１２  接続部
１４  筒部
１６  円筒部材
１８  スプリング
１９  ロッド部
２０  第１靴保持部
２０１  円筒部
２０２  接続部
２２  貫通孔
３０  第２靴保持部
３０１  半円筒部
３０２  接続部
３２  カバー
【図１】
2011030744.tif 000003
【図２】
2011030744.tif 000004
【図３】
2011030744.tif 000005